(57)【特許請求の範囲】
【請求項１】
電子機器と当該機器と接続される他の電子機器との間で、電気的に接続されるケーブルの電子機器側のケーブル取付構造において、
個々のケーブル（１）を固定する手段と、複数のケーブル（１）を纏めて固定する手段とを、備える略Ｌ形の板（２）を電子機器（１０）に直立させて形成し、当該板（２）の側面及び前面にケーブル（１）の余長処理部分を設定する、ことを特徴とするケーブル取付構造。
【請求項２】
前記板（２）は、電子機器（１０）側との取付部を、回転可能とした、ことを特徴とする請求項１記載のケーブル取付構造。
【請求項３】
前記板（２）は、電子機器（１０）側との取付部を、上下を反転して取付可能とした、ことを特徴とする請求項１記載のケーブル取付構造。
【発明の詳細な説明】
【０００１】
【発明の属する技術分野】
本発明は、情報処理装置などの電子機器と当該機器と接続される周辺装置などの他の電子機器との間で信号送受などで電気的に接続されるケーブルの電子機器側のケーブル取付構造に関わり、ケーブル取付構造を小型に、種々の形態に対応できるケーブル取付構造の実現に関する。
【０００２】
【従来の技術】
図４に示す従来例のケーブル取付構造は、情報処理装置などの電子機器６０と当該機器と接続される周辺装置などの他の電子機器６０との間で、信号送受などで電気的に接続されるケーブル５１の図示しない端末のコネクタなどとの余長部分の整理処理に、ケーブル５１の所定本数の固定スペースに加え、当該ケーブル５１の破線で示すループ状などの余長処理用のスペースを同一構成物内に含んだ主に対象機器専用の大型となるケーブル取付板５２で構成していた。その結果、構成システムの変動などによるケーブル５１の本数の追加などの変動には、追加あるいは交換する別ケーブル取付板５３で対応していた。また当該ケーブル取付板５２は、前記のように主に対象機器専用にしている。
【０００３】
【発明が解決しようとする課題】
本発明は、前記従来のケーブル取付構造における次の問題点解決を課題とする。
1）  ケーブルの所定本数の固定スペースに加え、当該ケーブルの余長処理用のスペースを同一構成物内に含んだ大型となる主に対象機器専用のケーブル取付板で構成していた。その結果、構成システムの変動などによるケーブル本数などの変動には、別ケーブル取付板で対応していた。
2）  また当該ケーブル取付板は、前記のように対象機器専用のため、複数の電子機器に共用し利用することの困難なもので、量産効果によりケーブル取付構造を安価にすることが難しいものであった。
【０００４】
【課題を解決するための手段】
本発明は上記問題を解決するために、個々のケーブルを固定する手段と、複数のケーブルを纏めて固定する手段とを、備える略Ｌ形の板を電子機器に直立させて形成し、当該板の側面及び前面にケーブルの余長処理部分を設定することを特徴とする。この手段によって、固定するケーブルの本数に対応できる範囲を広め、当該ケーブルの余長処理部分を直立させ形成した板の両側面及び前面に設定でき、ケーブルの所定本数の固定スペースのみに抑えた、小型のケーブル取付板にできるため、複数の電子機器に共用して利用することができ、量産効果によって当該略Ｌ形の板を安価にすることが容易なものとするとともに、ケーブルの取付取外し作業を効率的に実施させることができるケーブル取付構造を提供する。
【０００５】
【発明の実施の形態】
まず、図１に示すように本発明では、個々のケーブル１を固定する手段と、複数のケーブル１を纏めて固定する手段とを、備える略Ｌ形の板２を電子機器１０に直立させて形成し、当該ケーブル１の余長処理部分を隣接する構成物との空間を利用して、直立させて形成した板２の両側面及び前面に設定し構成した。この手段によって、固定するケーブルの本数に対応できる範囲を広め、当該ケーブルの余長処理部分を隣接する構成物との空間を有効に利用して、直立させて形成した板の両側面及び前面に設定でき、当該板にケーブルの余長処理部分を不要とし、ケーブルの所定本数の固定スペースに加え、複数のケーブルを纏めて固定するスペースのみでなる小型のケーブル取付板にできるため、複数の電子機器に共用して利用することができる作用を得る。
【０００６】
次に、図２に示すように本発明では、前記板２は、電子機器１０側との取付部にちょう番３を備え回転可能とした。この手段によって、固定するケーブルの本数に対応できる範囲を広め、当該ケーブルの余長処理部分を直立させて形成した板の両側面及び前面に設定でき、さらにちょう番で左右に回転の可能な小型のケーブル取付板にできるため、複数の電子機器に共用して利用することができ、ケーブル取付構造を量産効果によって安価にすることが容易なものとするとともに、ケーブルの取付取外し作業時に作業が容易になり、ケーブルの取付取外し作業を効率的に実施することができる作用を得る。
【０００７】
また、図３に示すように本発明では、前記板２は、電子機器１０側との取付部を上下を反転して取付可能とした。この手段によって、固定するケーブルの本数に対応できる範囲を広め、当該ケーブルの余長処理部分を直立させて形成した板の両側面及び前面に設定でき、上下を反転して取付の可能な小型のケーブル取付板にできるため、種々のケーブルの取付形態に柔軟に対応できて、より複数の電子機器に共用して利用することができる作用を得る。
【０００８】
【実施例】
以下、図１ないし図３の本発明に関わる実施例の図面を参照して説明する。
なお、以下において、同一部分は同一符号を付し、詳細な説明を省略することがある。
【０００９】
図１ないし図３おいて、
１は情報処理装置などの電子機器１０と当該機器と接続される周辺装置などの他の電子機器１０との間で、信号送受などで電気的に接続されるケーブルである。
２は情報処理装置などの電子機器１０と周辺装置などの他の電子機器１０との間で、接続されるケーブル１を電子機器１０に取付する板である。
４は個々のケーブル１を固定するケーブル固定具である。
５は複数のケーブル１を纏めて固定するケーブル保持部である。
１０は他の機器との間で信号送受などのケーブル１で電気的に接続される情報処理装置などの電子機器である。
【００１０】
図１は、本発明の原理斜視図である。
同図において、本発明のケーブル取付構造を、例えば金属でなり、ねじにより固定するケーブル固定具４で所定の本数の個々のケーブル１を固定する手段と、例えば適用ケーブル本数の範囲を大きく設定できる合成樹脂でなり、ねじあるいは圧入により固定するケーブル固定具４を備えるケーブル保持部５で所定の本数の複数のケーブル１を纏めて固定する手段とを、例えばねじで位置決めできる部分を備える略Ｌ形の板２を電子機器１０に直立させて形成し、当該ケーブル１の余長処理部分を破線で示すようにループ状に丸める。
ケーブル１の本数の少ない場合は図1（ａ）に示すように直立させて形成した板２の片側面に設定する。
ケーブル１の本数の多い場合は図1（ｂ）に示すように直立させて形成した板２の両側面に設定する。
ケーブルの本数により右側面と左側面とに分割でき、さらに直立させて形成した板２の前面にも設定できるようにして構成した。
このことによって、固定するケーブルの本数に対応できる範囲を広め、当該ケーブルの図示しない端末のコネクタなどとの余長処理部分をケーブルの本数によって直立させて形成した板の両側面及び前面に設定でき、当該ケーブルの余長処理スペースを当該板内に不要とし、隣接する構成物との空間を有効に利用して、ケーブルの所定本数の固定スペースに加え、複数のケーブルを纏めて固定するスペースのみでなる小型のケーブル取付板にできるため、複数の電子機器に共用して利用することができ、ケーブル取付構造を量産効果によって安価にすることが容易なものとすることができる。
【００１１】
図２は、本発明の実施例斜視図である。
同図において、
３はケーブル１を電子機器１０に取付する板２を左右方向に回転可能とするちょう番である。
【００１２】
同図において、本発明のケーブル取付構造は、図１に示す略Ｌ形の板２を、電子機器１０側との取付部を、例えば乗せちょう番などのちょう番３を溶接などで備え、左右方向に回転可能とした。このことによって、固定するケーブルの本数に対応できる範囲を広め、当該ケーブルの余長処理部分を直立させて形成した板の両側面及び前面に設定でき、かつ左右方向に回転の可能な小型のケーブル取付板にできる。また複数の電子機器に共用して利用することができる。さらに略Ｌ形の板２の脱着時に略Ｌ形の板２の先端を傾斜させてねじで取付固定あるいは取外し離脱する作業を容易にできるため、ケーブル取付構造を量産効果によって安価にすることが容易なものとするとともに、回転の可能な小型のケーブル取付板によって、当該板の電子機器への脱着あるいはケーブルの取付取外し時に板の先端を傾斜させてねじの締め付けあるいは緩めのためにドライバー操作を容易にして、ケーブルの取付取外し作業を効率的に実施することができる。
【００１３】
図３は、本発明の他の実施例斜視図である。
同図において、
６はケーブル１を電子機器１０に取付する板２を電子機器１０に位置決めする取付穴である。
【００１４】
同図において、本発明のケーブル取付構造は、図１あるいは図２に示す略Ｌ形の板２を、上下を反転して電子機器１０側に取付可能なように取付穴６を図３（ｃ）に示すように長円切欠きあるいはだるま穴とし、上下対称形とした。このことによって、固定するケーブルの本数に対応できる範囲を広め、隣接する構成物との空間に制限が発生する場合などで上下を反転することで当該ケーブルの余長処理部分を直立させて形成した板の両側面及び前面に設定でき、上下を反転して取付の可能な小型のケーブル取付板にできるため、ケーブルの種々の取付形態に柔軟に対応できて、より複数の電子機器に共用して利用することができ、量産効果によって安価にすることがより容易なものとすることができる。なお図３に示す略Ｌ形の板の先端を曲げずに一直線にし、側面に複数のケーブル１を纏めて固定する手段を設定すると、より多くの電子機器に共用して利用することができる形態とすることもできる。
【００１５】
【発明の効果】
以上説明した本発明は、次の効果が期待できる。
【００１６】
まず、電子機器と当該機器と接続される他の電子機器との間で、電気的に接続されるケーブルの電子機器側のケーブル取付構造において、個々のケーブルを固定する手段と、複数のケーブルを纏めて固定する手段とを、備える略Ｌ形の板を電子機器に直立させて形成し、当該板の両側面及び前面にケーブルの余長処理部分を設定する。このことで、固定するケーブルの本数に対応できる範囲を広め、当該ケーブルの余長処理部分を直立させて形成した板の両側面及び前面に設定でき、小型のケーブル取付板にできるため、複数の電子機器に共用して利用することができ、ケーブル取付構造を安価に構成することができる。
【００１７】
次に、前記板は、電子機器側との取付部を、回転可能とした。このことで、固定するケーブルの本数に対応できる範囲を広め、当該ケーブルの余長処理部分を直立させて形成した板の両側面及び前面に設定でき、左右方向に回転の可能な小型のケーブル取付板にできるため、前記の効果に加え、複数の電子機器に共用して利用することができるとともに、回転の可能な小型のケーブル取付板にでき、ケーブルの取付取外し作業を効率的に実施することができる。
【００１８】
また、前記板は、電子機器側との取付部を、上下を反転して取付可能とした。このことで、固定するケーブルの本数に対応できる範囲を広め、当該ケーブルの余長処理部分を直立させて形成した板の両側面及び前面に設定でき、上下を反転して固定の可能な小型のケーブル取付板にできるため、前記の効果に加え、より複数の電子機器に共用して利用することができ、ケーブル取付構造を量産効果によって安価にすることがより容易なものとすることができる。
【図面の簡単な説明】
【図１】本発明の原理図である。
【図２】本発明の実施例図である。
【図３】本発明の他の実施例図である。
【図４】従来例の実施例図である。
【符号の説明】
１  ケーブル
２  板
１０  電子機器
【図１】
0003697094.tif 000002
【図２】
0003697094.tif 000003
【図３】
0003697094.tif 000004
【図４】
0003697094.tif 000005